(57)【要約】【課題】用紙を搬送する際の異音を生じにくくすることができる搬送装置及び画像形成装置を提供する。【解決手段】画像形成装置１０は、画像形成手段１４と、画像形成手段１４へ用紙を搬送する対向ロール２４と、対向ロール２４を押圧する押圧装置５８とを有する。押圧装置５８には、対向ロール２４に従動可能な従動ロール６０、６０が設けられている。従動ロール６０、６０は、対向ロール２４と従動可能であるため、従動ロール６０、６０と対向ロール２４との間を紙粉が通過しやすく、紙粉の塊が形成されにくく、紙粉の塊が従動ロール６０、６０と対向ロール２４との間を通過する際に生じる異音が生じにくい。【選択図】図２
2008120482.tif 000002
【特許請求の範囲】
【請求項１】
用紙を搬送する搬送ロールと、
この搬送ロールを押圧する押圧装置と、
を有し、
前記押圧装置は、紙粉が溜まることを防止する防止手段が設けられている搬送装置。
【請求項２】
前記押圧装置は、前記防止手段として前記搬送ロールに従動可能な従動ロールを有する請求項１記載の搬送装置。
【請求項３】
前記押圧装置は、前記搬送ロールに接触する押圧部材を有し、
前記防止手段は、前記押圧部材に形成され、紙粉が通過する通過孔からなる請求項１記載の搬送装置。
【請求項４】
前記押圧装置は、前記搬送ロールに接触する押圧部材を有し、
前記防止手段は、前記押圧部材の前記搬送ロールに当接する部分に形成された凹凸からなる請求項１記載の搬送装置。
【請求項５】
用紙に画像を形成する画像形成手段と、
前記画像形成手段へ用紙を搬送するか又は前記画像形成手段で画像形成がなされた用紙を搬送する搬送装置と、
を有し、
前記搬送装置は、
用紙を搬送する搬送ロールと、
この搬送ロールを押圧する押圧装置と、
を有し、
前記押圧装置は、紙粉が溜まることを防止する防止手段が設けられている画像形成装置。
【発明の詳細な説明】
【技術分野】
【０００１】
本発明は、複写機、ファクシミリ、プリンタ等の画像形成装置及び主としてこれらに用いられる搬送装置に関する。
【背景技術】
【０００２】
回転する表面をシートに当接させ、摩擦力により該シート材を給紙あるいは搬送する搬送部材を有するシート供給装置において、前記搬送部材の回転する表面との当接部に溝を複数形成した当接部材を、前記搬送部材に押圧させるシート材搬送装置が知られている（特許文献１）。
【０００３】
【特許文献１】特開平１１−９１９７４号公報
【発明の開示】
【発明が解決しようとする課題】
【０００４】
用紙を搬送する際の異音を生じにくくすることができる搬送装置及び画像形成装置を提供することを目的とする。
【課題を解決するための手段】
【０００５】
本発明の第１の特徴するところは、用紙を搬送する搬送ロールと、この搬送ロールを押圧する押圧装置と、を有し、前記押圧装置は、紙粉が溜まることを防止する防止手段が設けられている搬送装置にある。
【０００６】
好適には、前記押圧装置は、前記防止手段として前記搬送ロールに従動可能な従動ロールを有する。
【０００７】
また、好適には、前記押圧装置は、前記搬送ロールに接触する押圧部材を有し、前記防止手段は、前記押圧部材に形成され、紙粉が通過する通過孔からなる。
【０００８】
また、好適には、前記押圧装置は、前記搬送ロールに接触する押圧部材を有し、前記防止手段は、前記押圧部材の前記搬送ロールに当接する部分に形成された凹凸からなる。
【０００９】
また、本発明の第２の特徴とするところは、用紙に画像を形成する画像形成手段と、前記画像形成手段へ用紙を搬送するか又は前記画像形成手段で画像形成がなされた用紙を搬送する搬送装置と、を有し、前記搬送装置は、用紙を搬送する搬送ロールと、この搬送ロールを押圧する押圧装置と、を有し、前記押圧装置は、紙粉が溜まることを防止する防止手段が設けられている画像形成装置にある。
【発明の効果】
【００１０】
本発明によれば、用紙を搬送する際の異音を生じにくくすることができる搬送装置及び画像形成装置を提供することができる。
【発明を実施するための最良の形態】
【００１１】
次に本発明の実施形態を図面に基づいて説明する。
図１には、本発明の第１の実施形態に係る画像形成装置１０の概要が示されている。画像形成装置１０は、画像形成装置本体１２を有し、画像形成装置本体１２内に後述する画像形成手段１４が搭載され、画像形成装置本体１２の上部に排出部１６が設けられているとともに、画像形成装置本体１２の下部に、例えば２段の給紙装置１８，１８が配置されている。
【００１２】
画像形成手段１４は電子写真方式のもので、像保持体として用いられ、例えばドラム形状の感光体２８と、感光体２８を一様帯電する帯電装置３０と、帯電装置３０により帯電された感光体２８に光により潜像を書き込む光書き込み装置３２と、光書き込み装置３２により形成された感光体２８に保持される潜像を現像剤により可視化する現像装置３４と、現像装置３４によって現像された感光体２８が保持する現像剤像を、転写媒体として用いられる用紙に転写する転写装置３６と、感光体２８に残存する現像剤をクリーニングするクリーニングブレード３７を備えたクリーニング装置３８と、転写装置３６により転写された用紙上の現像剤像を用紙に定着させる定着装置４０とから構成されている。光書き込み装置３２は例えば走査型のレーザ露光装置からなり、後述する像形成構造体４６を横切り、感光体２８に潜像を形成する。なお、光書き込み装置３２は、他の実施形態としてＬＥＤや面発光レーザ等を用いることができる。
【００１３】
画像形成手段１４を構成する部材のうち、感光体２８、帯電装置３０、現像装置３４及びクリーニング装置３８は、像形成構造体４６として一体化され、画像形成装置本体１２内に着脱することができるようになっている。
【００１４】
給紙装置１８は、例えば給紙カセットからなる用紙収納部１９と、用紙収納部に収納された最上位の用紙をピックアップするピックアップロール２０と、ピックアップロール２０によりピックアップされた用紙を搬送するフィードロール２１とを有し、用紙収納部１９に積層された状態で収納されている用紙を前述の画像形成手段１４へと供給する。
【００１５】
フィードロール２１の用紙搬送方向下流にはレジストロール２２と、レジストロール２２に対向する対向ロール２４が設けられ、レジストロール２２及び対向ロール２４の下流側には、前述の転写装置３６と像形成構造体４６の感光体２８が設けられ、さらに下流側には前述の定着装置４０が設けられ、さらに下流には排出ロール２６が設けられている。
【００１６】
図２及び３には、レジストロール２２及び対向ロール２４と、レジストロール２２及び対向ロール２４の周辺の部材が示されている。レジストロール２２は、金属からなるロール本体２２ａと、ロール本体２２ａを覆う例えばゴム等の弾性体からなる覆い部２２ｂとからなり、長手方向における両端部に支持部として用いられる軸２２ｃ、２２ｃが設けられていて、軸２２ｃ、２２ｃが、例えば画像形成装置本体１２のフレームに回転可能に支持されることによって、回転自在に支持されている。軸２２ｃには、例えばモータからなる駆動源５０が連結されていて、駆動源５０からの駆動伝達を受けて、図２に示す矢印方向に回転する。
【００１７】
対向ロール２４は、搬送ロールとして用いられ、例えば金属からなり、長手方向の両端部に軸２４ｃ、２４ｃが設けられている。軸２４ｃ、２４ｃには、軸受５２、５２がそれぞれ装着されていて、軸受５２、５２によって、対向ロール２４は回転可能に支持されている。軸受５２、５２には、付勢手段として用いられ、例えばコイルスプリング等からなる弾性体５４、５４の一端部連結されている。弾性体５４、５４の他端部は、自然長よりも縮んだ状態となるようにして、例えば画像形成装置本体１２のフレームに固定されている。したがって、対向ロール２４は、弾性体５４、５４によって、レジストロール２２に押圧されている。
【００１８】
対向ロール２４は、レジストロール２２に連れ回りすることで、図２に示す矢印方向に回転するようにしても良いし、レジストロール２２とは独立して回転駆動するようにしても良い。
【００１９】
レジストロール２２と対向ロール２４とが接触する接触部分Ｎは、用紙搬送路Ｐ上に位置し、下方から搬送されてきた用紙の先端部は、接触部分Ｎで一旦停止する。その後、画像形成手段１４での画像形成とタイミングを合わせて、レジストロール２２が回転を開始することで、用紙は再び上方へと搬送される。
【００２０】
対向ロール２４に対して、レジストロール２２が設けられた側と逆側には、対向ロール２４の長手方向における中央付近を、レジストロール２２側に押圧する押圧装置５８が設けられている。対向ロール２４は、先述のように軸受５２、５２を介して、弾性体５４、５４によって長手方向両端部でレジストロール２２に押圧される。このため、レジストロール２２及び対向ロール２４は、長手方向両端で互いに当接する状態となるもものの、例えば図３に領域Ａとして示す対向ロール２４の長手方向中央付近においては、レジストロール２２と対向ロール２４とが互いに離間した状態となってしまったり、レジストロール２２と対向ロール２４とが互いに当接した状態となったとしても、その当接力が、両端部と比較して弱くなったりすることがある。この場合、レジストロール２２及び対向ロール２４による用紙の搬送が良好になされないことがある。そこで、この実施形態では、レジストロール２２及び対向ロール２４が領域Ａにおいても良好に接触した状態となるように、対向ロール２４の長手方向における中央部付近を、レジストロール２２に押圧する押圧装置５８を有している。
【００２１】
押圧装置５８は、対向ロール２４に押圧される押圧部材として用いられ、防止手段として用いられる従動ロール６０、６０を有する。従動ロール６０、６０は、それぞれ対向ロール２４に対してレジストロール２２と逆側に、対向ロール２４に接するように配置されている。従動ロール６０、６０は、それぞれ長手方向の両端部に軸６０ｃ、６０ｃを有する。
【００２２】
また、押圧装置５８は、支持機構として用いられる支持フレーム６２を有し、支持フレーム６２が軸６０ｃ、６０ｃを介して、両従動ロール６０を回転自在に支持している。したがって、従動ロール６０、６０は、それぞれ対向ロール２４に従動して回転することができる。支持フレーム６２の従動ロール６０、６０が設けられた側と逆側には、付勢手段として用いられ、例えばコイルスプリングからなる弾性体６４の一端部が連結されている。弾性体６４の他端部は、弾性体６４が自然長よりも縮んだ状態となるように、画像形成装置本体１２に取り付けられている。したがって、従動ロール６０、６０は、支持フレーム６２及び軸受６０ｃを介して、それぞれ対向ロール２４の長手方向における略中央部分に押圧される。このため、レジストロール２２と対向ロール２４とは、長手方向における中央部付近でも良好に接触した状態となる。
【００２３】
以上のように構成された画像形成装置１０では、対向ロール２４に、例えば紙粉等の異物が付着して、この付着した異物が、対向ロール２４と従動ロール６０とが接触する位置の中で、対向ロール２４の回転方向において最も上流に位置する図２に示す位置Ｂに集められ堆積されることがある。紙粉等が堆積された場合、堆積された紙粉が塊となり、塊となった紙粉が、従動ロール６０、６０と対向ロール２４との間に入り込んでしまうことがあり、その場合、紙粉等が従動ロール６０、６０と対向ロール２４との間を通過する際に異音が生じてしまう。特に、この実施形態では、金属との高硬度の材料からなる対向ロール２４に対し、弾性体６４を用いて、比較的に強い圧力で従動ロール６０、６０を押し付けているため、紙粉等が通過する際に異音が生じることが多い。
【００２４】
しかしながら、この実施形態では、先述のように、従動ロール６０、６０は対向ロール２４に対して従動可能である。このため、従動ロール６０、６０が対向ロールに対して従動しない場合のように、対向ロール２４と従動ロール６０とが接する部分に紙粉等が塞き止められるのではなく、紙粉等は対向ロール２４と従動ロール６０との間を通過しやすく、紙粉等からなる塊が形成されにくい。このため、紙粉等の塊が対向ロール２４と従動ロール６０との間を通過する際の異音が生じにくい。また、たとえ紙粉等の塊が形成されたとしても、従動ロール６０、６０が対向ロール２４と従動するため、紙粉等の固まりは、対向ロール２４と従動ロール６０、６０との間を滑らかに通過することになり、異音が生じないか、異音が生じたとしても、その音は小さい。
【００２５】
図４及び５には、本発明の第２の実施形態に係る押圧装置５８が示されている。前述した第１の実施形態と比較すると、前述の第１の実施形態では、従動ロール６０、６０が、対向ロール２４に押圧される押圧部材として用いられていた。これに対して、この第２の実施形態では、バックアップ部材７０が押圧部材として用いられている。バックアップ部材７０は、対向ロール２４に接する接触面７２を有する。接触面７２には、対向ロール２４の外径と略同径の凹部が形成されている。バックアップ部材７０の接触面７２が形成された側と逆側には、弾性体６４が装着されていて、弾性体６４によってバックアップ部材７０は、対向ロール２４に押圧されている。
【００２６】
また、バックアップ部材７０には、防止手段として用いられる貫通孔７４が形成されている。貫通孔７４は、通過孔として用いられ、略鉛直方向に形成され、バックアップ部材７０の重力方向上側と重力方向下側とを連通させている。バックアップ部材７０は、バックアップ部材７０と対向ロール２４とが接触する位置の中で対向ロール２４の回転方向において最も上流の位置である位置Ｂと貫通孔７４との間の位置に斜面７６を有している。
【００２７】
以上のように構成された第２の実施形態に係る押圧装置５８では、たとえ位置Ｂに紙粉等からなる塊が形成されたとして、この塊は斜面７６を滑り落ち貫通孔７４へ到達し、貫通孔７４を通過して落下する。このため、対向ロール２４とバックアップ部材７０の接触面７２との間に紙粉等の塊が入り込みにくい。このため、紙粉等からなる塊が、対向ロール２４とバックアップ部材７０との間に入り込むことよる異音が生じにくい。なお、第１の実施形態と同一部分については、図４及び５に同一番号を付して説明を省略する。
【００２８】
図６には、本発明の第３の実施形態に用いられる押圧装置５８が、図７には、本発明の第３の実施形態に用いられるバックアップ部材７０が示されている。先述の第２の実施形態では、バックアップ部材７０には貫通孔７４が形成され、貫通孔７４がバックアップ部材７０に紙粉等が溜まることを防止する防止手段として用いられていた。これに対して、この第３の実施形態においては、バックアップ部材７０に防止手段として用いられる凹凸部８０が設けられている。
【００２９】
凹凸部８０は、バックアップ部材７０の対向ロール２４側に形成され、例えば３個の凸部８２、８２、８２と、各凸部８２の間に形成される例えば２個の凹部８４、８４とからなる。そして、凸部８２、８２、８２が対向ロール２４に当接する状態となるように、バックアップ部材７０は組みつけられ、弾性体６４によって対向ロール２４に押圧される。
【００３０】
以上のように構成された第３の実施形態に係る押圧装置５８では、たとえ紙粉等からなる塊が形成されたとして、この塊は、凹部８４、８４によって形成されるスリットを通過して落下する。このため、対向ロール２４とバックアップ部材７０との間に紙粉等の塊が入り込みにくい。このため、紙粉等からなる塊が、対向ロール２４とバックアップ部材７０との間に入り込むことよる異音が生じにくい。なお、第１又は第２の実施形態と同一部分については、図６及び７に同一番号を付して説明を省略する。
【００３１】
前述の第１乃至第３の実施形態においては、画像形成手段１４よりも用紙の搬送方向上流に位置し、画像形成手段１４へ用紙を搬送する対向ロール２４に発明が適用される実施形態を説明したが、例えば、排出ロール２６等の画像形成手段１４よりも用紙の搬送方向下流に位置し、画像形成手段１４で画像が形成された用紙を搬送するロールに発明を適用しても良い。
【産業上の利用可能性】
【００３２】
以上述べたように、本発明は、用紙を搬送する搬送装置及びこれを有する画像形成装置に適用することができる。
【図面の簡単な説明】
【００３３】
【図１】本発明の第１の実施形態に係る画像形成装置を示す断面図である。
【図２】本発明の第１の実施形態に係る画像形成装置に用いられる押圧装置を示す断面図である。
【図３】本発明の第１の実施形態に係る画像形成装置に用いられる押圧装置を示し、図２におけるＡ―Ａ線の断面図である。
【図４】本発明の第２の実施形態に係る画像形成装置に用いられる押圧装置を示す平面図である。
【図５】本発明の第２の実施形態に係る画像形成装置に用いられる押圧装置を示し、図４におけるＣ―Ｃ線の平面図である。
【図６】本発明の第３の実施形態に係る画像形成装置に用いられる押圧装置を示す平面図である。
【図７】本発明の第３の実施形態に係る画像形成装置に用いられるバックアップ部材を示す斜視図である。
【符号の説明】
【００３４】
１０    画像形成装置
１２ 画像形成装置本体
１９ 用紙収納部
２２ レジストロール
２４ 対向ロール
２６ 排出ロール
５２ 軸受
５４ 弾性体
５８ 押圧装置
６０ 従動ロール
６２ 支持フレーム
６４ 弾性体
７０ バックアップ部材
７２ 接触面
７４ 貫通孔
７６ 斜面
８０ 凹凸部
【図１】
2008120482.tif 000003
【図２】
2008120482.tif 000004
【図３】
2008120482.tif 000005
【図４】
2008120482.tif 000006
【図５】
2008120482.tif 000007
【図６】
2008120482.tif 000008
【図７】
2008120482.tif 000009